【手続補正書】
【提出日】平成15年10月31日(2003.10.31)
【手続補正１】
【補正対象書類名】明細書
【補正対象項目名】発明の名称
【補正方法】変更
【補正の内容】
【発明の名称】ＩＰｖ４−ＩＰｖ６変換装置、ＤＮＳ代行装置及びＩＰアドレス通知方法


【手続補正２】
【補正対象書類名】明細書
【補正対象項目名】特許請求の範囲
【補正方法】変更
【補正の内容】
【特許請求の範囲】
【請求項１】
通信プロトコルとしてＩＰｖ４を使用する少なくとも１台のＩＰｖ４装置及びＩＰｖ６を使用する少なくとも１台のＩＰｖ６装置とネットワークを介して接続されるＩＰｖ４−ＩＰｖ６変換装置において、
少なくとも１つのＩＰｖ４アドレスを保持する保持手段と、
ネットワークに対してＩＰｖ４またはＩＰｖ６を使用してメッセージを送受信する送受信手段と、
前記送受信手段を介して、任意のＩＰｖ４装置から前記ネットワークを介して接続される他の装置のドメイン情報の問い合わせメッセージを受信し、前記他の装置のドメイン情報の問い合わせメッセージをＩＰｖ４ドメイン情報を管理するＤＮＳサーバへ送信し、前記他の装置のドメイン情報を応答するメッセージを受信しなかった場合、前記他の装置のドメイン情報の問い合わせメッセージをＩＰｖ６ドメイン情報を管理するＤＮＳサーバへ送信し、前記ＩＰｖ６ドメイン情報を管理するＤＮＳサーバから前記他の装置のドメイン情報を応答するメッセージを受信した場合、前記応答メッセージに含まれる前記他の装置のＩＰｖ６アドレスに前記保持手段に保持されている前記少なくとも１つのＩＰｖ４アドレスのうちの任意のＩＰｖ４アドレスを割り当て、前記任意のＩＰｖ４アドレスを前記他の装置のドメイン情報として通知するメッセージを前記任意のＩＰｖ４装置に送信するＤＮＳ代行手段とを有することを特徴とするＩＰｖ４−ＩＰｖ６変換装置。
【請求項２】
通信プロトコルとしてＩＰｖ４を使用する少なくとも１台のＩＰｖ４装置及びＩＰｖ６を使用する少なくとも１台のＩＰｖ６装置とネットワークを介して接続されるＩＰｖ４−ＩＰｖ６変換装置において、
複数のＩＰｖ４アドレスを保持する保持手段と、
ネットワークに対してＩＰｖ４またはＩＰｖ６を使用してメッセージを送受信する送受信手段と、
前記送受信手段を介して、任意のＩＰｖ４装置から前記ネットワークを介して接続される他の装置のドメイン情報の問い合わせメッセージを受信し、前記他の装置のドメイン情報の問い合わせメッセージをＩＰｖ４ドメイン情報を管理する第１のＤＮＳサーバへ送信し、前記他の装置のドメイン情報を応答するメッセージを前記第１のＤＮＳサーバから受信しなかった場合、前記他の装置のドメイン情報の問い合わせメッセージをＩＰｖ６ドメイン情報を管理する第２のＤＮＳサーバへ送信し、前記他の装置のドメイン情報を応答するメッセージを前記第２のＤＮＳサーバから受信し、前記保持手段から得た任意のＩＰｖ４アドレスを前記応答メッセージに含まれる前記他の装置のＩＰｖ６アドレスに対応付け、前記任意のＩＰｖ４アドレスを前記他の装置のドメイン情報として通知するメッセージを前記任意のＩＰｖ４装置に送信するＤＮＳ代行手段とを有することを特徴とするＩＰｖ４−ＩＰｖ６変換装置。
【請求項３】
通信プロトコルとしてＩＰｖ４を使用するＩＰｖ４装置が接続されたＩＰｖ４ネットワークと、ＩＰｖ６を使用するＩＰｖ６装置が接続されたＩＰｖ６ネットワークとに接続されるＩＰｖ４−ＩＰｖ６変換装置において、
少なくとも１つのＩＰｖ４アドレスを保持するアドレスプール手段と、
前記ＩＰｖ４ネットワーク及び前記ＩＰｖ６ネットワークに対してＩＰｖ４またはＩＰｖ６を使用してメッセージを送受信する送受信手段と、
前記送受信手段を介して、前記ＩＰｖ４ネットワークから、任意のＩＰｖ４装置から発信された任意のＩＰｖ６装置のドメイン情報の問い合わせメッセージを受信し、前記任意のＩＰｖ６装置のドメイン情報の問い合わせメッセージを前記ＩＰｖ４ネットワーク内のドメイン情報を管理するＤＮＳサーバへ送信し、前記任意のＩＰｖ６装置のドメイン情報を応答するメッセージを所定時間内に受信しなかった場合、前記任意のＩＰｖ６装置のドメイン情報の問い合わせメッセージを前記ＩＰｖ６ネットワーク内のドメイン情報を管理するＤＮＳサーバへ送信し、前記任意のＩＰｖ６装置のドメイン情報を応答するメッセージを受信した場合、前記応答メッセージに含まれる前記任意のＩＰｖ６装置のＩＰｖ６アドレスに前記アドレスプール手段に保持されている任意のＩＰｖ４アドレスを割り当て、前記任意のＩＰｖ４アドレスを前記任意のＩＰｖ６装置のドメインネームに対応するＩＰアドレスとして前記任意のＩＰｖ４装置に通知するメッセージを前記ＩＰｖ４ネットワークに送信するＤＮＳ代行手段とを有することを特徴とするＩＰｖ４−ＩＰｖ６変換装置。
【請求項４】
通信プロトコルとしてＩＰｖ４を使用するＩＰｖ４装置が接続されたＩＰｖ４ネットワークと、ＩＰｖ６を使用するＩＰｖ６装置が接続されたＩＰｖ６ネットワークとに接続されるＩＰｖ４−ＩＰｖ６変換装置において、
複数のＩＰｖ４アドレスを保持するアドレスプール手段と、
前記ＩＰｖ４ネットワーク及び前記ＩＰｖ６ネットワークに対してＩＰｖ４またはＩＰｖ６を使用してメッセージを送受信する送受信手段と、
前記送受信手段を介して、前記ＩＰｖ４ネットワークから、任意のＩＰｖ４装置から発信された任意のＩＰｖ６装置のドメイン情報の問い合わせメッセージを受信し、前記任意のＩＰｖ６装置のドメイン情報の問い合わせメッセージを前記ＩＰｖ４ネットワークに接続された第１のＤＮＳサーバへ送信し、前記任意のＩＰｖ６装置のドメイン情報を応答するメッセージを前記第１のＤＮＳサーバから所定時間内に受信しなかった場合、前記任意のＩＰｖ６装置のドメイン情報の問い合わせメッセージを前記ＩＰｖ６ネットワークに接続された第２のＤＮＳサーバへ送信し、前記任意のＩＰｖ６装置のドメイン情報を応答するメッセージを前記第２のＤＮＳサーバから受信した場合、前記応答メッセージに含まれる前記任意のＩＰｖ６装置のＩＰｖ６アドレスに前記アドレスプール手段に保持されている前記複数のＩＰｖ４アドレスのうちの任意のＩＰｖ４アドレスを対応付け、前記任意のＩＰｖ４アドレスを前記任意のＩＰｖ６装置のドメインネームに対応するＩＰアドレスとして前記任意のＩＰｖ４装置に通知するメッセージを前記ＩＰｖ４ネットワークに送信するＤＮＳ代行手段とを有することを特徴とするＩＰｖ４−ＩＰｖ６変換装置。
【請求項５】
請求項１から請求項４のいずれかに記載のＩＰｖ４−ＩＰｖ６変換装置において、前記ＤＮＳ代行手段は、前記任意のＩＰｖ４装置から前記任意のＩＰｖ６装置のドメインネームに対応するＩＰｖ４アドレスの問い合わせメッセージを受信することを特徴とするＩＰｖ４−ＩＰｖ６変換装置。
【請求項６】
請求項１から請求項４のいずれかに記載のＩＰｖ４−ＩＰｖ６変換装置において、前記ＤＮＳ代行手段は、前記任意のＩＰｖ６装置のドメインネームに対応するＩＰｖ６アドレスの問い合わせメッセージを、ＩＰｖ６ドメイン情報を管理するＤＮＳサーバへ送信し、前記任意のＩＰｖ６装置のＩＰｖ６アドレスを応答するメッセージを前記ＤＮＳサーバから受信することを特徴とするＩＰｖ４−ＩＰｖ６変換装置。
【請求項７】
通信プロトコルとしてＩＰｖ４を使用する少なくとも１台のＩＰｖ４装置及びＩＰｖ６を使用する少なくとも１台のＩＰｖ６装置とネットワークを介して接続されるＩＰｖ４−ＩＰｖ６変換装置において、
ネットワークに対してＩＰｖ４またはＩＰｖ６を使用してメッセージを送受信する送受信手段と、
前記送受信手段を介して、任意のＩＰｖ４装置から前記ネットワークを介して接続された他の装置のドメインネームに対応するＩＰアドレスの問い合わせメッセージを受信し、前記ドメインネームに対応するＩＰアドレスの問い合わせメッセージを、ＩＰｖ４ドメイン情報を管理するＤＮＳサーバと、ＩＰｖ６ドメイン情報を管理するＤＮＳサーバへ送信し、前記ドメインネームに対応するＩＰｖ６アドレスを応答するメッセージを受信すると、前記応答メッセージに含まれる前記ＩＰｖ６アドレスに任意のＩＰｖ４アドレスを割り当て、前記任意のＩＰｖ４アドレスを前記ドメインネームに対応するＩＰアドレスとして通知するメッセージを前記任意のＩＰｖ４装置に送信するＤＮＳ代行手段とを有することを特徴とするＩＰｖ４−ＩＰｖ６変換装置。
【請求項８】
通信プロトコルとしてＩＰｖ４を使用する少なくとも１台のＩＰｖ４装置及びＩＰｖ６を使用する少なくとも１台のＩＰｖ６装置とネットワークを介して接続されるＤＮＳ代行装置において、
少なくとも１つのＩＰｖ４アドレスを保持する保持手段と、
ネットワークに対してＩＰｖ４またはＩＰｖ６を使用してメッセージを送受信する送受信手段と、
前記送受信手段を介して、任意のＩＰｖ４装置から前記ネットワークを介して接続される他の装置のドメイン情報の問い合わせメッセージを受信し、前記他の装置のドメイン情報の問い合わせメッセージをＩＰｖ４ドメイン情報を管理するＤＮＳサーバへ送信し、前記他の装置のドメイン情報を応答するメッセージを受信しなかった場合、前記他の装置のドメイン情報の問い合わせメッセージをＩＰｖ６ドメイン情報を管理するＤＮＳサーバへ送信し、前記ＩＰｖ６ドメイン情報を管理するＤＮＳサーバから前記他の装置のドメイン情報を応答するメッセージを受信した場合、前記応答メッセージに含まれる前記他の装置のＩＰｖ６アドレスに前記保持手段に保持している任意のＩＰｖ４アドレスを対応付け、前記任意のＩＰｖ４アドレスを前記他の装置のドメイン情報として通知するメッセージを前記任意のＩＰｖ４装置に送信する代行手段とを有することを特徴とするＤＮＳ代行装置。
【請求項９】
通信プロトコルとしてＩＰｖ４を使用する少なくとも１台のＩＰｖ４装置及びＩＰｖ６を使用する少なくとも１台のＩＰｖ６装置とネットワークを介して接続されるＤＮＳ代行装置において、
ネットワークに対してＩＰｖ４またはＩＰｖ６を使用してメッセージを送受信する送受信手段と、
前記送受信手段を介して、任意のＩＰｖ４装置から前記ネットワークを介して接続された他の装置のドメインネームに対応するＩＰアドレスの問い合わせメッセージを受信し、前記ドメインネームに対応するＩＰアドレスの問い合わせメッセージを、ＩＰｖ４ドメイン情報を管理するＤＮＳサーバと、ＩＰｖ６ドメイン情報を管理するＤＮＳサーバへ送信し、前記ドメインネームに対応するＩＰｖ６アドレスを応答するメッセージを受信すると、前記応答メッセージに含まれる前記ＩＰｖ６アドレスに任意のＩＰｖ４アドレスを割り当て、前記任意のＩＰｖ４アドレスを前記ドメインネームに対応するＩＰアドレスとして通知するメッセージを前記任意のＩＰｖ４装置に送信する代行手段とを有することを特徴とするＤＮＳ代行装置。
【請求項１０】
通信プロトコルとして第１のバージョンのＩＰプロトコルを使用する少なくとも１台の第１の装置と第２のバージョンのＩＰプロトコルを使用する少なくとも１台の第２の装置とにネットワークを介して接続される変換装置において、
複数の第１のバージョンのＩＰアドレスを予め保持するアドレスプール手段と、
ネットワークに対して第１のバージョンのＩＰプロトコルまたは第２のバージョンのＩＰプロトコルを使用してメッセージを送受信する送受信手段と、
前記送受信手段を介して、前記第１の装置から前記ネットワークを介して接続される他の装置のドメイン情報の問い合わせメッセージを受け取り、前記他の装置のドメイン情報の問い合わせメッセージを、第１のバージョンのＩＰプロトコルを使用する装置のドメイン情報を管理するサーバへ送信し、前記他の装置のドメイン情報を応答するメッセージを受信しなかった場合、前記他の装置のドメイン情報の問い合わせメッセージを、第２のバージョンのＩＰプロトコルを使用する装置のドメイン情報を管理するサーバへ送信し、前記第２のバージョンのＩＰプロトコルを使用する装置のドメイン情報を管理するサーバから前記他の装置のドメイン情報を応答するメッセージを受信した場合、前記応答メッセージに含まれる前記他の装置の第２のバージョンのＩＰアドレスに前記アドレスプール手段に保持している前記複数の第１のバージョンのＩＰアドレスのうちの任意の第１のバージョンのＩＰアドレスを対応付け、前記任意の第１のバージョンのＩＰアドレスを前記他の装置のドメイン情報として通知するメッセージを前記第１の装置に送信するＤＮＳ代行手段とを有することを特徴とする変換装置。
【請求項１１】
請求項１０に記載の変換装置において、前記ＤＮＳ代行手段は、前記第１の装置から前記第２の装置のドメインネームに対応する第１のバージョンのＩＰアドレスの問い合わせメッセージを受信することを特徴とする変換装置。
【請求項１２】
請求項１０に記載の変換装置において、前記ＤＮＳ代行手段は、前記第２の装置のドメインネームに対応する第２のバージョンのＩＰアドレスの問い合わせメッセージを、前記第２のバージョンのＩＰプロトコルを使用する装置のドメイン情報を管理するサーバへ送信し、前記第２の装置の第２のバージョンのＩＰアドレスを応答するメッセージを前記サーバから受信することを特徴とする変換装置。
【請求項１３】
通信プロトコルとして第１のバージョンのＩＰプロトコルを使用する少なくとも１台の第１の装置と第２のバージョンのＩＰプロトコルを使用する少なくとも１台の第２の装置とにネットワークを介して接続される変換装置において、
少なくとも１つの第１のバージョンのＩＰアドレスを保持する保持手段と、
ネットワークに対して第１のバージョンのＩＰプロトコルまたは第２のバージョンのＩＰプロトコルを使用してメッセージを送受信する送受信手段と、
前記送受信手段を介して、前記第１の装置から前記ネットワークを介して接続される他の装置のドメインネームに対応するＩＰアドレスの問い合わせメッセージを受け取り、前記ドメインネームに対応するＩＰアドレスの問い合わせメッセージを、前記第１のバージョンのＩＰプロトコルを使用する装置のドメイン情報を管理するサーバと、前記第２のバージョンのＩＰプロトコルを使用する装置のドメイン情報を管理するサーバへ送信し、前記ドメインネームに対応する第２のバージョンのＩＰアドレスを応答するメッセージを受信すると、前記応答メッセージに含まれる前記第２のバージョンのＩＰアドレスに前記保持手段に保持している任意の第１のバージョンのＩＰアドレスを割り当て、前記任意の第１のバージョンのＩＰアドレスを前記ドメインネームに対応するＩＰアドレスとして通知するメッセージを前記第１の装置に送信するＤＮＳ代行手段とを有することを特徴とする変換装置。
【請求項１４】
通信プロトコルとしてＩＰｖ４を使用するＩＰｖ４装置にＩＰｖ６を使用するＩＰｖ６装置のＩＰアドレスを通知する方法において、
少なくとも１つのＩＰｖ４アドレスを保持し、任意のＩＰｖ４装置から任意のＩＰｖ６装置のドメイン情報の問い合わせメッセージを受信し、前記任意のＩＰｖ６装置のドメイン情報の問い合わせメッセージをＩＰｖ４ドメイン情報を管理するサーバへ送信し、前記任意のＩＰｖ６装置のドメイン情報を応答するメッセージを受信しなかった場合、前記任意のＩＰｖ６装置のドメイン情報の問い合わせメッセージをＩＰｖ６ドメイン情報を管理するサーバへ送信し、前記任意のＩＰｖ６装置のドメイン情報を応答するメッセージを受信した場合、前記応答メッセージに含まれる前記任意のＩＰｖ６装置のＩＰｖ６アドレスに前記保持している任意のＩＰｖ４アドレスを割り当て、前記任意のＩＰｖ４アドレスを前記任意のＩＰｖ６装置のＩＰアドレスとして通知するメッセージを前記任意のＩＰｖ４装置に送信することを特徴とする通知方法。
【請求項１５】
通信プロトコルとしてＩＰｖ４を使用するＩＰｖ４装置にＩＰｖ６を使用するＩＰｖ６装置のＩＰアドレスを通知する方法において、
複数のＩＰｖ４アドレスを保持し、任意のＩＰｖ４装置から任意のＩＰｖ６装置のドメイン情報の問い合わせメッセージを受信し、前記任意のＩＰｖ６装置のドメイン情報の問い合わせメッセージをＩＰｖ４ドメイン情報を管理する第１のＤＮＳサーバへ送信し、前記任意のＩＰｖ６装置のドメイン情報を応答するメッセージを前記第１のＤＮＳサーバから受信しなかった場合、前記任意のＩＰｖ６装置のドメイン情報の問い合わせメッセージをＩＰｖ６ドメイン情報を管理する第２のＤＮＳサーバへ送信し、前記任意のＩＰｖ６装置のドメイン情報を応答するメッセージを前記第２のＤＮＳサーバから受信した場合、前記応答メッセージに含まれる前記任意のＩＰｖ６装置のＩＰｖ６アドレスに保持している前記複数のＩＰｖ４アドレスのうちの任意のＩＰｖ４アドレスを対応付け、前記任意のＩＰｖ４アドレスを前記任意のＩＰｖ６装置のＩＰアドレスとして通知するメッセージを前記任意のＩＰｖ４装置に送信することを特徴とする通知方法。
【請求項１６】
請求項１４または請求項１５に記載の通知方法において、前記任意のＩＰｖ４装置から前記任意のＩＰｖ６装置のドメインネームに対応するＩＰｖ４アドレスの問い合わせメッセージを受信することを特徴とする通知方法。
【請求項１７】
請求項１４または請求項１５に記載の通知方法において、前記任意のＩＰｖ６装置のドメインネームに対応するＩＰｖ６アドレスの問い合わせメッセージを、ＩＰｖ６ドメイン情報を管理するＤＮＳサーバへ送信し、前記任意のＩＰｖ６装置のＩＰｖ６アドレスを応答するメッセージを前記ＤＮＳサーバから受信することを特徴とする通知方法。
【請求項１８】
通信プロトコルとしてＩＰｖ６を使用するＩＰｖ６装置と、ＩＰｖ４を使用するＩＰｖ４装置とにネットワークを介して接続される変換装置によってＩＰｖ６装置のドメインネームに対応するＩＰアドレスをＩＰｖ４装置に通知する方法であって、
任意のＩＰｖ４装置から発信された前記ネットワークを介して接続される他の装置のドメインネームに対応するＩＰアドレスの問い合わせメッセージを受信し、前記ドメインネームに対応するＩＰアドレスの問い合わせメッセージを、ＩＰｖ４ドメイン情報を管理するＤＮＳサーバとＩＰｖ６ドメイン情報を管理するＤＮＳサーバへ送信し、前記ドメインネームに対応するＩＰｖ６アドレスを応答するメッセージを受信すると、前記応答メッセージに含まれる前記ＩＰｖ６アドレスに任意のＩＰｖ４アドレスを割り当て、前記任意のＩＰｖ４アドレスを前記ドメインネームに対応するＩＰアドレスとして通知するメッセージを前記任意のＩＰｖ４装置に送信することを特徴とする通知方法。
【請求項１９】
通信プロトコルとして第１のバージョンのＩＰプロトコルを使用する第１の装置に、第２のバージョンのＩＰプロトコルを使用する第２の装置のＩＰアドレスを通知する方法において、
少なくとも１つの第１のバージョンのＩＰアドレスを保持し、前記第１の装置から前記第２の装置のドメイン情報の問い合わせメッセージを受信し、前記第２の装置のドメイン情報の問い合わせメッセージを前記第１のバージョンのＩＰプロトコルを使用する装置のドメイン情報を管理するサーバへ送信し、前記第２の装置のドメイン情報を応答するメッセージを受信しなかった場合、前記第２の装置のドメイン情報の問い合わせメッセージを前記第２のバージョンのＩＰプロトコルを使用する装置のドメイン情報を管理するサーバへ送信し、前記第２の装置のドメイン情報を応答するメッセージを受信した場合、前記応答メッセージに含まれる前記第２の装置の第２のバージョンのＩＰアドレスに前記少なくとも１つの第１のバージョンのＩＰアドレスのうちの任意の第１のバージョンのＩＰアドレスを割り当て、前記第１のバージョンのＩＰアドレスを前記第２の装置のＩＰアドレスとして通知するメッセージを前記第１の装置に送信することを特徴とする通知方法。
【請求項２０】
通信プロトコルとして第１のバージョンのＩＰプロトコルを使用する第１の装置に、第２のバージョンのＩＰプロトコルを使用する第２の装置のＩＰアドレスを通知する方法において、
複数の第１のバージョンのＩＰアドレスを保持し、前記第１の装置から前記第２の装置のドメイン情報の問い合わせメッセージを受信し、前記第２の装置のドメイン情報の問い合わせメッセージを前記第１のバージョンのＩＰプロトコルを用いる装置のドメイン情報を管理する第１のサーバへ送信し、前記第１のサーバから前記第２の装置のドメイン情報を応答するメッセージを所定時間内に受信しなかった場合、前記第２の装置のドメイン情報の問い合わせメッセージを前記第２のバージョンのＩＰプロトコルを用いる装置のドメイン情報を管理する第２のサーバへ送信し、前記第２のサーバから前記第２の装置のドメイン情報を応答するメッセージを受信した場合、前記応答メッセージに含まれる前記第２の装置の第２のバージョンのＩＰアドレスに前記保持しているうちの任意の第１のバージョンのＩＰアドレスを対応付け、前記第１のバージョンのＩＰアドレスを前記第２の装置のＩＰアドレスとして通知するメッセージを前記第１の装置に送信することを特徴とする通知方法。